(57)【特許請求の範囲】
【請求項１】
プラグ（１００）と、前記プラグ（１００）を受容するように適合されたジャック（２
００）とを備えるコネクタシステムであって、
前記プラグ（１００）は、
少なくとも８つのコンタクト要素（１０６）を取り囲むプラグハウジング（１０２）を
有し、
前記プラグハウジング（１０２）は、曲げられた金属シートから作られ、雄型形状嵌合
部分（１５４、１５６）を画定し、前記雄型形状嵌合部分（１５４、１５６）は点対称に
配置され、
前記ジャック（２００）は、
少なくとも８つの対向コンタクト要素（２１０）を支持するジャックハウジング（２０２
）を有し、
前記ジャックハウジング（２０２）は、曲げられた金属シートから作られ、雌型形状嵌
合部分を画定し、前記雌型形状嵌合部分は点対称に配置され、
前記ジャックハウジング（２０２）は、相手プラグハウジング（１０２）を受容するよ
うに適合された本質的に矩形の受容部分（２４２）を画定し、
前記受容部分（２４２）の矩形開口（２３２）における横方向の表面（２３４、２３６
）の端部（２４０）は、外向きに曲げられており、
前記金属シートの少なくとも２つの隅部は、前記雌型形状嵌合部分を画定し、内向きに
曲げられて前記矩形開口（２３２）内へ突出し、
前記プラグハウジング（１０２）は、前記矩形開口（２３２）内へ挿入されるように適
合された円筒形挿入部分（１１４）を画定し、
前記円筒形挿入部分（１１４）は、少なくとも２つの傾斜隅部が互いに対向して配置さ
れた本質的に矩形の横断面を有するコネクタシステム。
【請求項２】
前記プラグハウジング（１０２）内に受け取られて、前記コンタクト要素（１０６）を
点対称または軸対称に支持する隔離プラグインサート（１０４）と、
前記ジャックハウジング（２０２）内に受け取られて、前記対向コンタクト要素（２１
０）を対応するように支持する隔離ジャックインサート（２０４）と、を特徴とする、
請求項１に記載のコネクタシステム。
【請求項３】
前記ジャックハウジング（２０２）は、前記金属シートから切断された少なくとも１つ
のばねシャックル（２３８）を画定し、
前記ばねシャックル（２３８）は、前記受容部分（２４２）内へ突出して、前記円筒形
挿入部分（１１４）の外面に接触することを特徴とする、
請求項１または２に記載のコネクタシステム。
【請求項４】
前記ジャックハウジング（２０２）は、前記ジャックハウジング（２０２）の矩形開口
（２３２）の方へ自由になるように切断された爪（２５２）を画定し、
前記爪（２５２）は、前記プラグハウジング（１０２）の円筒形挿入部分（１１４）の
外周を突出させる固定突起（１５８）を確実にロックするように適合され、
前記雄型形状嵌合部分（１５４、１５６）は前記雌型形状嵌合部分（２４８、２５０）
と協働し、前記爪（２５２）は前記固定突起（１５８）と協働することで、前記プラグ（
１００）を前記ジャック（２００）内に１つの所定の様式のみで挿入することを可能にす
ることを特徴とする、
請求項１から３のいずれか一項に記載のコネクタシステム。
【請求項５】
前記プラグ（１００）は、ハウジングシェル要素（１３８、１４０）の少なくとも１つ
によって可動に保持された解放要素（１２６）を備え、
前記解放要素（１２６）は、前記爪（２５２）の自由前端（２５４）と協働して前記爪
（２５２）を前記プラグハウジング（１０２）から持ち上げるように適合された解放面（
１２８）を備えることを特徴とする、
請求項４に記載のコネクタシステム。
【請求項６】
前記ジャックハウジング（２０２）は、前記金属シートを切断して曲げることによって
作られた少なくとも４つのはんだ突出部（２２４）を画定し、
前記はんだ突出部（２２４）は、矩形の受容部分（２４２）を単一の締結方向（Ｆ）に
突出させることを特徴とする、
請求項１から５のいずれか一項に記載のコネクタシステム。
【請求項７】
前記ジャックハウジング（２０２）は、矩形の受容部分（２４２）を単一の締結方向（
Ｆ）に突出させる少なくとも２つのペグ（２３０）を画定することを特徴とする、
請求項１から６のいずれか一項に記載のコネクタシステム。
【請求項８】
前記隔離ジャックインサート（２０４）は、矩形の受容部分（２４２）を単一の締結方
向（Ｆ）に突出させる少なくとも１つの締結突出部（２２８）を画定することを特徴とす
る、
請求項２または請求項２に従属する請求項３から７、のいずれか一項に記載のコネクタ
システム。
【請求項９】
前記ジャックハウジング（２０２）および前記隔離ジャックインサート（２０４）はそ
れぞれ、当接面（２１８）のうち、平面ＰＣＢに当接するように適合された部分（２２０
、２２２）を画定し、
前記対向コンタクト要素（２１０）の自由はんだ端部（２１６）は、前記当接面（２１
８）と本質的に同じ高さに配置されることを特徴とする、
請求項２または請求項２に従属する請求項３から８、のいずれか一項に記載のコネクタ
システム。
【請求項１０】
前記コンタクト要素（１０６）の接触部分（１０８）は、前記隔離プラグインサート（
１０４）のスリーブ部（１１６）内に受容され、
前記コンタクト要素（１０６）の接続端部（１２０）は、スリーブ部（１１６）から露
出され、前記隔離プラグインサート（１０４）の接続部（１１８）によって支持され、
前記接続部（１１８）は、前記隔離プラグインサート（１０４）に接続可能な少なくと
も１つのカバー要素（１２２、１２４）によって覆われることを特徴とする、
請求項２または請求項２に従属する請求項３から９、のいずれか一項に記載のコネクタ
システム。
【請求項１１】
金属カバーの挿入部分が露出されるように、前記プラグハウジング（１０２）を形状嵌
合式に受容するように適合された２つの接続可能なプラグハウジングシェル要素（１３８
、１４０）を特徴とする、請求項１から１０のいずれか一項に記載のコネクタシステム。
【請求項１２】
第１のコネクタシステムと、第２のコネクタシステムと、を備えるコネクタセットであ
って、
前記第１のコネクタシステムは、第１のプラグ（１００）と、前記第１のプラグ（１０
０）を受容するように採用された第１のジャック（２００）とを備えており、
前記第１のプラグ（１００）が、少なくとも８つの第１のコンタクト要素（１０６）を
取り囲む第１のプラグハウジング（１０２）を備え、
前記第１のジャック（２００）が、前記第１のコンタクト要素（１０６）に割り当てら
れた第１の対向コンタクト要素（２１０）を支持する第１のジャックハウジング（２０２
）を有し、
前記第１のプラグハウジング（１０２）および前記第１のジャックハウジング（２０２
）がそれぞれ、曲げられた金属シートから作られ、
前記第１のコネクタシステムにおいて、前記第１のプラグハウジング（１０２）が第１
の雄型形状嵌合部分（１５４、１５６）を画定し、前記第１のジャックハウジング（２０
２）が第１の雌型形状嵌合部分（２４８、２５０）を画定し、前記第１の雄型形状嵌合部
分（１５４、１５６）および前記第１の雌型形状嵌合部分（２４８、２５０）がそれぞれ
、点対称に配置されるとともに、
前記第２のコネクタシステムは、第２のプラグ（３００）と、前記第２のプラグ（３０
０）を受容するように採用された第２のジャック（４００）と、を備えており、
前記第２のプラグ（３００）が、少なくとも８つの第２のコンタクト要素（３０６）を
取り囲む第２のプラグハウジング（３０２）を備え、前記第２のジャック（４００）が、
前記第２のコンタクト要素（３０６）に割り当てられた第２の対向コンタクト要素（４１
０）を支持する第２のジャックハウジング（４０２）を有し、
前記第２のプラグハウジング（３０２）および前記第２のジャックハウジング（４０２
）がそれぞれ、曲げられた金属シートから作られ、
前記第２のコネクタシステムにおいて、前記第２のプラグハウジング（３０２）が第２
の雄型形状嵌合部分（３５４、３５６）を画定し、前記第２のジャックハウジング（４０
２）が第２の雌型形状嵌合部分（４４８、４５０）を画定し、前記第２の雄型形状嵌合部
分（３５４、３５６）および前記第２の雌型形状嵌合部分（４４８、４５０）がそれぞれ
、点対称に配置されるとともに、
前記第１の雄型形状嵌合部分（１５４、１５６）、前記第１の雌型形状嵌合部分（２４
８、２５０）、前記第２の雄型形状嵌合部分（３５４、３５６）、前記第２の雌型形状嵌
合部分（４４８、４５０）が、前記第２のプラグ（３００）を前記第１のジャック（２０
０）内へ挿入することができず、前記第１のプラグ（１００）を前記第２のジャック（４
００）内へ挿入することができないように採用され、
前記ジャックハウジング（２０２）は、相手プラグハウジング（１０２）を受容するよ
うに適合された本質的に矩形の受容部分（２４２）を画定し、
前記受容部分（２４２）の矩形開口（２３２）における横方向の表面（２３４、２３６
）の端部（２４０）は、外向きに曲げられており、
前記金属シートの少なくとも２つの隅部は、前記雌型形状嵌合部分を画定し、内向きに
曲げられて前記矩形開口（２３２）内へ突出し、
前記プラグハウジング（１０２）は、前記矩形開口（２３２）内へ挿入されるように適
合された円筒形挿入部分（１１４）を画定し、
前記円筒形挿入部分（１１４）は、少なくとも２つの傾斜隅部が互いに対向して配置さ
れた本質的に矩形の横断面を有する、
コネクタセット。
【発明の詳細な説明】
【技術分野】
【０００１】
本発明は、プラグと、プラグを受容するように適合されたジャックとを備えるコネクタシステムに関する。プラグは、少なくとも８つのコンタクト要素を取り囲むプラグハウジングを備える。ジャックは、プラグのコンタクト要素との接触を行うように割り当てられた対向コンタクト要素を支持するジャックハウジングを備える。
【背景技術】
【０００２】
コネクタシステムのプラグとジャックとの間の相互電気接触のための少なくとも８つの要素を備えるコネクタシステムは、たとえば、ＤＥ１０２０１３１０３０６９Ｂ３、ＤＥ１０２０１２００８１９８Ｂ４、またはＤＥ１０２０１００１４２９５Ａ１から知られている。本発明によるコネクタシステムなどのコネクタシステムは、ＣＡＴ５規格、ＣＡＴ６規格、またはＣＡＴ７規格によるケーブルを受容するのに特に適している。本発明は特に、プラグとジャックとの間の接触を行うための丈夫なシステムを提供するのに適したコネクタシステムを提供することを目的とする。現在、生産環境は、たとえば中央データ処理装置によって制御される非集中型装置によってより自動化されている。中央データ処理装置による各装置の確実な制御は、装置と中央データ処理装置との間に延びるデータケーブルの確実な接続に依存する。したがって、プラグとジャックとの間の安全な電気接触は、生産環境において装置を確実に動作させるのに最も重要である。
【発明の概要】
【発明が解決しようとする課題】
【０００３】
本発明は、最近の生産環境の必要を満たすように適合されたコネクタシステムを提案することを目的とする。コネクタシステムは、嵌合失敗（ｍｉｓｓ−ｍａｔｉｎｇ）を防止するように適合された符号化も提供することによって、プラグとジャックとの間の安定した接続を提供し、ネットワークの構成要素間の電気接触を行うためのものである。本発明は、ＣＡＴ５規格、ＣＡＴ６規格、またはＣＡＴ７規格によるデータケーブルを接続するのに特に適しているが、ネットワーク環境内で接続を行うためによく使用されるＲＪ４５の構成要素に偶発的にネットワーク接続される可能性のないコネクタシステムを提供したいと考える。本発明は、コンタクト要素と対向コンタクト要素との不整合ならびに２つの要素間の接触を行うときのプラグおよびジャックの不適切な位置合わせが本質的に防止され、高精度の電気的接続が提供されるように、特にプラグおよびジャックの適切な接合ならびに接触中の２つの要素の案内という利益を提供することによって、現在のＲＪ４５ネットワーク接続に対する代替手段を提案する。
【課題を解決するための手段】
【０００４】
上記の問題に対する解決策として、本発明は、請求項１に記載のコネクタシステムを提供する。このコネクタシステムは、プラグハウジングおよびジャックハウジングがそれぞれ、曲げられた金属シートから作られることを特徴とする。ジャックハウジングは雌型形状嵌合部分を画定し、プラグハウジングは雄型形状嵌合部分を画定する。雄型形状嵌合部分および雌型形状嵌合部分は、プラグをジャック内へ所定の様式で挿入することを可能にするように適合される。
【０００５】
したがって、この金属ハウジングの特有の構成は、異なる構成のプラグとジャックの不整合の可能性がなく、コネクタシステムの特有のプラグと特有のジャックの接続を確実にもたらす符号化を提供する。本発明のジャックハウジングおよびプラグハウジングのサイズはかなり小さく、ＲＪ４５コネクタシステムのそれぞれの部分のサイズを超過しない。それにもかかわらず、プラグおよびジャックの金属ハウジングが嵌合部分の形を画定するため、たとえばハウジングの不整合および変形によって偶発的に回避される可能性のない確実な符号化が提供される。
【０００６】
通常、雌型ジャックハウジングの横断面形状と雄型プラグハウジングの横断面形状は同一であり、それにより金属案内面が提供され、挿入中のプラグおよびジャックの確実な位置決めおよび案内を可能にする。雄型形状嵌合部分および雌型形状嵌合部分は案内を提供し、またそれによって、コンタクト要素が対向コンタクト要素に対して歪みおよび変位を生じるのを防止する。加えて、ジャックおよびプラグハウジングの金属材料は、それぞれのハウジング内に受け取られたコンタクト要素および対向コンタクト要素を遮蔽する可能性を提供する。
【０００７】
ジャックハウジングおよびプラグハウジングの横断面形状は、互いに割り当てられた異なる符号化タイプを提供し、１つのタイプのプラグまたはハウジングと別のタイプのプラグまたはハウジングとの不整合を防止するように変更することができる。好ましくは、コネクタシステムは、本質的に矩形（正方形以外）の横断面形状を利用する。本発明によれば、本質的に矩形の横断面形状の隅部に設けられている対角線状に配置された雄型形状嵌合部分および雌型形状嵌合部分は、符号化を提供するように修正される。具体的には、雄型形状嵌合部分は、ジャックハウジングに対する横断面でジャックの中心点に対して点対称に配置され、この横断面は、ジャック内へのプラグの挿入方向に対して垂直である。雄型形状嵌合部分は、プラグハウジングによってそれぞれ点対称に設けられる。
【０００８】
プラグハウジングの本質的に矩形の横断面形状によって取り囲まれたコンタクト要素は、好ましくは点対称または軸対称に配置される。この場合も、コンタクト要素のこの配置は、ジャック内へのプラグの挿入方向におけるプラグの横断面で見たものであり、ジャックの適合受容部分内へ挿入されるように適合されたプラグの少なくとも前方挿入部分を画定する円筒の延長に対応する。通常、コンタクト要素は、矩形形状の幅方向に延びる中心線に対して軸対称に配置することができる。そのようにして、８つから好ましくは２０個のコンタクト要素を設けることができる。矩形形状の幅方向に延びる線に沿った前述の対称に加えて、それぞれのコンタクト要素は、中心点に対して点対称に配置することができ、この中心点は、概して、プラグの円筒形挿入部分の延長方向に延びる中心線の点である。好ましくは、コンタクト要素は、プラグの金属ハウジングと同じ中心点に対して点対称である。コンタクト要素のこの特有の配置は、コネクタシステムの接続動作において、コンタクト要素および対向コンタクト要素の適切な位置決めおよび位置合わせを助ける。言うまでもなく、ジャックの対向コンタクト要素は、プラグのコンタクト要素と同じように設けられる。
【０００９】
プラグのコンタクト要素は通常、プラスチック材料から作られた隔離プラグインサートによって支持され、隔離プラグインサートは、所定の方法でコンタクト要素を保持し、弾性的にプラグのカウンタ要素との電気接触を行うコンタクト要素の自由端を露出させるように適合される。この絶縁プラグインサートの外形は通常、金属プラグハウジングによって提供される内周面に対応する。隔離プラグインサートによって画定され、割り当てられた絶縁ジャックインサートを受容するように適合された受容凹部は、矩形の横断面を有することができる。そのような構成では、隔離ジャックインサートは、プラグの受容凹部内に受け取られるように適合された雄型部品である。
【００１０】
本発明の好ましい実施形態によれば、ジャックハウジングは、相手プラグハウジングを受容するように適合された本質的に矩形の受容部分を画定し、受容部分の矩形開口の横方向の面の端部は、外向きに曲げられている。横方向の面を外向きに曲げることによって、ジャック内へのプラグの挿入を容易にする漏斗状の構成が、矩形の受容部分の自由端部に設けられる。受容部分および開口が矩形に画定される限り、矩形の形に関する上記の制限が当てはまる。具体的には、矩形の横断面形状は通常、厳密に矩形ではなく、互いに正反対の少なくとも２つの傾斜隅部を備え、プラグおよび割り当てられたジャックの適切な整合のための符号化を提供する。
【００１１】
適切な案内および遮蔽のために、プラグハウジングは、好ましくは、ジャックの矩形開口内へ挿入されるように適合された円筒形挿入部分を画定する。この矩形開口は、プラグの円筒形挿入部分の横断面形状にちょうど対応する横断面形状を有する円筒形受容部分の自由端部とすることができる。コネクタシステムの経済的な生産を考えると、プラグハウジングを受容するように適合された円筒形受容部分を有するジャックを提供することが好ましいが、プラグハウジングによって提供される符号化に適合された円筒形の形状を有することは好ましくない。代わりに、ジャックハウジングの雌型形状嵌合部分は、ジャックハウジングの受容部分の開口で金属シート材料を内向きに曲げることのみによって画定される。
この構成には、金属シートを固有の様式で曲げることによって、異なる符号付きのコネクタシステムに対して本質的に同じ様式でジャックハウジングを製造することができる。一方、ジャックハウジングは、開口の位置で通常は開口の方へ内向きに金属シート部分を曲げて特有の符号化を提供することのみによって、特有の符号化に対応するように個別化されるという利点がある。したがって、実際の開口を突出させる端部のいくつかは、好ましくは、これらの部分を外向きに曲げることによってプラグの容易な挿入を可能にする漏斗を画定するために使用され、一方、ジャックの矩形開口の少なくとも２つの端部は、雌型形状嵌合部分を画定するように内向きに曲げられた２つの傾斜隅部を提供するために、特有の様式で内向きに曲げられる。
【００１２】
好ましい実施形態によれば、ジャックハウジングは、金属シートから切断された少なくとも１つのばねシャックルを画定し、少なくとも１つのばねシャックルは、受容部分内へ突出して、円筒形挿入部分の外面に接触する。ばねシャックルは通常、受容部分の方へわずかに内向きに曲げられており、ジャックの受容部分の端部の方へ内向きに隆起する。したがって、矩形開口を通って受容部分内へ挿入されるプラグの金属ハウジングは、挿入の深さが増大するにつれて、ばねシャックルを外向きに押す。ばねシャックルは、プラグの外面との電気接触を行い、遮蔽を提供する。通常、対向する側面に２つのばねシャックルが設けられる。ジャックハウジングのこれらの側面は通常、これらの側面に対して垂直に延びる側面より小さい延長を有する側面である。以下、これらの側面を高さ表面と呼び、高さ表面に対して垂直な側面を幅表面と呼ぶ。
【００１３】
本発明のさらに好ましい実施形態によれば、ジャックハウジングは、受容部分の矩形開口の方へ自由になるように切断された爪を画定し、この爪は、円筒形挿入部分の外周を突出させる固定突出部を確実にロックするように適合される。この構成は、接続されたプラグおよびジャックの確実なロックを提供して、それらの偶発的な解放を防止することを目的とする。爪は通常、固定突出部を受容するように適合された固定開口を有する。爪および固定突出部は、プラグをジャック内へ挿入するための接続動作の結果、確実なロックを提供するように設計される。したがって、プラグがジャック内へ挿入された後、爪および固定突出部による確実なロックが自動的に有効になる。プラグジャックの構成は、爪が固定突出部と協働し、雄型形状嵌合部分と雌型形状嵌合部分とが協働することで、プラグをジャック内へ単一の所定の様式のみで挿入することを可能にするような構成である。したがって、爪および突出部が欠け、２つの同一の形状嵌合部分が、ジャックハウジングおよびプラグハウジングの対角線状に反対の隅部に位置する場合、ジャックは、１８０°逆の２つの異なる位置でプラグを受容することができる。この好ましい実施形態によれば、固定突出部と爪との協働によって、嵌合失敗を防止することができる。
【００１４】
好ましくは、プラグ内に可動に支持される解放要素が設けられ、解放要素は、爪の自由端と協働して爪をプラグハウジングから持ち上げるように適合された解放面を備え、それによって爪と固定突出部との間の確実なロックを解放してプラグおよびジャックを切り離す。この解放要素は、好ましくは、ハウジングシェル要素によって設けられる長手方向スロット内に保持される。
【００１５】
さらに好ましい実施形態によれば、ジャックハウジングは、ジャックハウジングを画定するシート材料を切断して曲げることによって作られた少なくとも４つのはんだ突出部を画定する。それらのはんだ突出部は、ジャックの矩形の受容部分を締結方向に突出させる。この締結方向は、ジャックの受容部分の長手方向およびプラグの円筒形挿入部分の長手方向に対応する挿入方向、すなわちプラグがジャック内へ挿入される方向に対して横断方向である。「締結方向」という用語は特に、ジャックハウジングがプリント回路基板（以下、ＰＣＢと呼ぶ）に取り付けられる方向を指す。締結方向は通常、挿入方向に対して横断方向であるが、はんだ突出部は、矩形開口とは反対の部分であるジャックハウジングの後端部にも同様に設けることもできる。
そのような構成では、矩形開口ジャックは通常、ＰＣＢの表面に対して平行に、ＰＣＢの表面から距離をあけて配置される。好ましい実施形態によれば、４つのはんだ付け突出部が設けられ、したがってジャックハウジングとＰＣＢとの間の接続の強度が改善される。はんだ突出部は通常、はんだパッドとして設けられる。それらのパッドは、はんだ突出部をＬ字状に曲げることによって設けられ、第１の脚部は、受容部分から締結方向に突出し、第２の脚部は、第１の脚部に対して横断方向に延び、ＰＣＢの表面に対して平行である。Ｌ字状のはんだ突出部の前記第２の脚部は、ＰＣＢにはんだ付けされる。
【００１６】
さらに好ましい実施形態によれば、ジャックハウジングは、矩形の受容部分を締結方向に突出させる少なくとも２つのペグを画定する。それらのペグは通常、ＰＣＢを通って突出する。したがって、ペグは、締結方向に前述のはんだ突出部より大きい延長を有する。ペグは、たとえば、はんだ突出部を画定する材料によって、Ｌ字状のはんだ突出部を延ばすことによって、さらに切断して曲げることによって設けることができる。ペグは、ＰＣＢに固定される貫通孔アンカを画定し、それによってＰＣＢに対するジャックハウジングの安定した位置決めおよび締結を強化する。好ましくは、ジャックハウジングは、それらの貫通孔アンカを提供するために、３つまたはさらには４つ以上のペグを有する。
【００１７】
さらに、ジャックの安定した位置決めおよび締結の目的のため、隔離ジャックインサートは、矩形の受容部分を締結方向に突出させる少なくとも１つの締結突出部を画定する。それぞれの締結突出部は、ＰＣＢの対応する孔の中に受け取られ、この場合も、ジャック全体の適切な位置決めおよび金属ハウジングに対する隔離ジャックインサートの固定を助ける。この構成の場合、隔離ジャックインサートを金属ジャックハウジングに直接取り付ける必要をなくすことができる。ジャックハウジングおよび隔離ジャックインサートをＰＣＢに取り付けることのみによって、隔離ジャックインサートが特にプラグの挿入方向にジャック内へ移動することを防止するために隔離ジャックインサートを締結することが不要になる。したがって、ジャック自体の生産が容易になる。
【００１８】
上記の理由のため、金属ジャックハウジングの一部分および隔離プラグインサートの一部分によって、当接面を画定することが好ましい。隔離ジャックインサートおよび金属ジャックハウジングによって部分的に設けられるこの当接面は、ＰＣＢの平面に当接するように適合される。この構成によれば、ジャックの対向コンタクト要素の自由はんだ端部は、当接面と本質的に同じ高さに配置される。
【００１９】
さらに好ましい実施形態によれば、プラグのコンタクト要素の接触部分が、隔離プラグインサートのスリーブ部内に受け取られる。コンタクト要素の接続端部が、前記スリーブ部から露出され、隔離プラグインサートの接続部によって支持される。それらの自由端部は通常、ケーブルの絶縁導体との電気接触を容易に行うために、切断要素を備える。ケーブルをコンタクト要素に接続するこの接続動作は、コンタクト要素の接続端部が隔離プラグインサートの接続部によって支持されて露出されることによって容易になる。さらに、隔離プラグインサートに接続可能な少なくとも１つのカバー要素が設けられる。このカバー要素は、コンタクト要素と金属プラグハウジングとの間の電気接触を防止するように、接続端部を覆う。通常、協働する２つのカバー要素が設けられ、これらのカバー要素は、隔離プラグインサートの接続部内に囲まれた要素を覆う。
【００２０】
本発明のさらに好ましい実施形態によれば、互いに接続可能な２つのプラグハウジングシェル要素が設けられ、これらのプラグハウジングシェル要素は、金属カバーの挿入部分が露出されるように形状嵌合部分内に金属プラグハウジングを受容するように適合される。プラグハウジングシェル要素は、使用者の手の２本の指の間にプラグを挟んでプラグとジャックとの間の接触を行うように適合された金属ハウジングを取り囲むシェルハウジングを画定する。プラグハウジングシェル要素は通常、プラグハウジングシェル要素を確実にロックするようにスナップ要素によって互いに接続可能であり、それによって金属プラグハウジングの後端部を囲む。
【００２１】
本発明は同様に、上記で論じたコネクタシステムの一部を形成するプラグおよびジャックを提案する。本発明のプラグは、ジャック内へ挿入可能になるように適合される。プラグは、少なくとも８つのコンタクト要素を取り囲むプラグハウジングを有する。プラグハウジングは、曲げられた金属シートから作られており、雄型形状嵌合部分を画定し、これらの形状嵌合部分は、請求項１を参照してすでに論じたように、点対称に配置される。言い換えれば、プラグとジャックとの間の形状嵌合を提供する要素は、プラグの金属プラグハウジングによって画定される。好ましくは、本発明のプラグは、請求項２を参照して上記で論じたように、コンタクト要素を点対称または軸対称に支持する隔離プラグインサートを受容する。プラグのプラグハウジングは、好ましくは、特に請求項１〜３を参照して上記で論じたように、本質的に矩形の横断面を有する円筒形挿入部分を画定する。この矩形の横断面は、好ましくは、雄型形状嵌合部分を画定する２つの傾斜隅部を有する。
【００２２】
さらに、プラグハウジングは、好ましくは、コンタクト要素を点対称および／または軸対称に支持する隔離プラグインサートを受容する。
【００２３】
さらに、本発明のプラグは、隔離プラグインサートのスリーブ部内にコンタクト要素の接触部分を受容する。コンタクト要素の接続端部は、スリーブ部から露出され、隔離プラグインサートの接続部によって支持される。接続部は、好ましくは、隔離プラグインサートに接続可能な少なくとも１つのカバー要素によって覆われる。
【００２４】
コネクタシステムに関してすでに論じたように、本発明のプラグは、好ましくは、金属カバーの挿入部分が露出されるように金属プラグハウジングを形状嵌合式に受容するように適合された２つの接続可能なプラグハウジングシェル要素を有する。
【００２５】
本発明のコネクタシステムのそれぞれの特徴の上記の説明は、本発明のプラグの利点およびさらなる詳細を解明することにも同様に当てはまる。同じことが、本発明のジャックの以下の説明にも当てはまる。プラグまたはジャックとの組合せのみで提示されるプラグおよびジャックの関連する表面および接触に関する本開示のすべての部分もまた、他方のジャックおよびプラグの詳細および利点を解明することを意味する。
【００２６】
本発明のジャックは、プラグを受容するように適合され、少なくとも８つのコンタクト要素を支持するジャックハウジングを有する。本発明のジャックのジャックハウジングは、曲げられた金属シートから作られ、雌型形状嵌合部分を画定する。雌型形状嵌合部分は、好ましくは、プラグをジャック内へ１つの所定の様式のみで挿入することを可能にするように適合される。ジャックの雌型形状嵌合部分は、好ましくは、点対称に配置される。
【００２７】
好ましくは、ジャックハウジングは、点対称および／または軸対称にジャックの対向コンタクト要素を支持する隔離ジャックインサートを受容する。さらに、ジャックハウジングは、好ましくは、相手プラグハウジングを受容するように適合された本質的に矩形の受容部分を画定し、受容部分の矩形開口の横方向の面の端部は、外向きに曲げられており、金属シートの少なくとも２つの隅部は、内向きに曲げられて矩形開口内へ突出し、雌型形状嵌合部分を画定する。
【００２８】
さらに、ジャックハウジングは、好ましくは、シート材料を切断して曲げることによって作られた少なくとも４つのはんだ突出部を画定し、これらのはんだ突出部は、矩形の受容部分を単一の締結方向に突出させる。上記のように、この締結方向は、挿入方向に対して横断方向とすることができ、または挿入方向に他方の端部、すなわちジャックハウジングの矩形開口とは反対側の端部に位置することができる。
【００２９】
さらに、ジャックハウジングは、矩形の受容部分を単一の締結方向に突出させる少なくとも２つのペグを画定することが好ましい。
【００３０】
さらに好ましい実施形態によれば、隔離ジャックインサートは、矩形の受容部分を単一の締結方向に突出させる少なくとも１つの締結突出部を画定する。
【００３１】
さらに、ジャックハウジングおよび隔離ジャックインサートがそれぞれ平面ＰＣＢに当接するように適合された当接面の一部分を画定し、対向コンタクト要素の自由はんだ端部が当接面と本質的に同じ高さに配置されることが好ましい。
【００３２】
本発明は、１組の異なるコネクタシステムがそれぞれ、協働する形状嵌合部分を有するプラグおよびジャックを有することをさらに明記する。言い換えれば、コネクタセットは、少なくとも、互いと接触を行うように適合された、第１のプラグおよび第１のジャックを有する第１のコネクタシステムと、第２のプラグおよび第２のジャックを備える第２のコネクタシステムとを有する。第１のコネクタシステムは、請求項１の記載による。第２のコネクタシステムも同様に、請求項１の記載による。しかし、第１のプラグハウジングの形状嵌合部分および第１のジャックハウジングの形状嵌合部分は、第１のプラグおよび第１のジャックを互いの中へ挿入することができるようになっており、第２のプラグハウジングの形状嵌合部分および第２のジャックハウジングの形状嵌合部分は、第２のプラグおよび第２のジャックを互いの中へ挿入することができるようになっており、これらの形状嵌合部分の構成のため、第１のプラグを第２内へ挿入することおよび第２のプラグを第１のジャック内へ挿入することは可能でない。
同じことが、第３のコネクタシステム、第４のコネクタシステム、または第５のコネクタシステムにも当てはまる。したがって、本発明のコネクタセットは、割り当てられた複数のプラグおよびジャックを画定し、これらのプラグおよびジャックは、互いにのみ接続することができ、他の符号のプラグおよびジャックには接続することができない。したがって、本発明は、このように偶発的に不整合を起こすことのない符号化されたコネクタ要素により、工業界におけるデータ接続に対して新しい標準を提供する。
【００３３】
ジャックハウジングおよびプラグハウジングによって提供される形状嵌合部分は別として、爪が突出部と協働することによって、割り当てられたプラグとジャックとの間の特有の符号化も提供することができる。
【００３４】
さらに、本発明の要素および利点は、図面に関連する好ましい実施形態の以下の説明から明らかになるであろう。
【図面の簡単な説明】
【００３５】
【図１】プラグの一実施形態の分解図である。
【図２】図１による組み立てられたプラグの拡大斜視図である。
【図３】図２に示したプラグの、幅方向に切断した斜視断面図である。
【図４】図２に示した実施形態について、図３の切断線を横断する切断線に沿って切り取った斜視断面図である。
【図５】図１〜４によるプラグの実施形態の正面図である。
【図６】ジャックの一実施形態の分解図である。
【図７】図６に示した組み立てられたジャックの拡大斜視図である。
【図８】図７に示したジャックに基本的には一致した、幅方向に切断した斜視断面図である。
【図９】図７に示した実施形態について、図８の横断線を横断する切断線に沿って切り取った斜視断面図である。
【図１０】図８による断面図の上面図である。
【図１１】図９による断面図の側面図である。
【図１２】ジャックの実施形態についての側面図である。
【図１３】図６〜１２によるジャックの実施形態の正面図である。
【図１４】第２の符号化システムによるプラグについての正面図であり、図５に対応する図である。
【図１５】第２の符号化システムによるジャックについての正面図であり、図１３に対応する図である。
【発明を実施するための形態】
【００３６】
図１〜１３で、プラグを参照番号１００ｆｆで特定し、ジャックを参照番号２００ｆｆで特定する。
【００３７】
プラグ１００は、曲げられた金属シートから作られたプラグハウジング１０２を有し、プラグハウジング１０２は、非導電プラスチック材料から作られた隔離プラグインサート１０４を受容し、隔離プラグインサート１０４は、８つのコンタクト要素１０６を保持するように採用され、それによりコンタクト要素１０６の接触部分１０８が、隔離プラグインサート１０４の受容凹部１１０内に露出される。特に図２、図３、および図４から明らかなように、それらの接触部分１０８は、受容凹部１１０の開口付近の隔離プラグインサート１０４の自由端部で露出される。それらの図からさらに明らかなように、隔離プラグインサート１０４は、プラグハウジング１０２のハウジング開口１１２と同じ高さである。
【００３８】
プラグハウジング１０２は、曲げられた金属シートから作られ、円筒形挿入部分１１４を画定するように曲げられている。隔離プラグインサート１０４は、その近位端でスリーブ部１１６を画定し、スリーブ部１１６は、曲げられた金属シートから作られた挿入部分１１４に基本的に対応する外周面を有する。したがって、スリーブ部１１６の支持によって、挿入部分１１４が内向きに曲げられて変形することが防止される。隔離プラグインサート１０４の遠位端は、本質的に平坦な接続部１１８を画定する。接続部１１８は、コンタクト要素のそれぞれに対して拡張部を備え、コンタクト要素は、接続部１１８の両側で自由接続端部１２０に露出される。接続端部１２０は、ケーブル（図示せず）の隔離導体に接続するための歯を有する。それらの導体を接続端部１２０に接続した後、隔離プラグインサート１０４の接続部１１８上へカバー要素１２２、１２４をスナップ嵌めし、それによって導電部分を覆い、また接続端部１２０を金属プラグハウジング１０２に対して隔離する。
【００３９】
上部カバー要素１２２の外面によって支持された解放要素１２６が設けられ、解放要素１２６は、その近位端に解放面１２８を画定する。解放面１２８は、前方ステップ１３２を画定する傾斜部分１３０の前端によって画定される。解放要素１２６は、後方ステップ１３４をさらに有する。
【００４０】
解放要素１２６の反対側には、Ｕ字状に曲げられた導体要素１３６が設けられ、導体要素１３６は、プラグ１００の組み立てられた状態（図３、図４参照）で、隔離プラグインサート１０４を越えてプラグハウジング１０２の挿入部分１１４を囲み、ケーブル（図示せず）の遮蔽との接触を行うように採用される。
【００４１】
プラグ１００は、２つの同一のシェル要素１３８、１４０をさらに有する。シェル要素１３８、１４０は、互いにスナップ嵌めすることができ、それによって前述のすべての要素を囲む。シェル要素１３８は、解放要素１２６の後方ステップ１３４を受容するように適合された解放要素受容開口１４２を有する。解放要素受容開口１４２は、前方ステップ１３２および後方ステップ１３４によって画定される後方静止位置から前方解放位置へ解放要素１２６を動かすのに適した長手方向延長部を有する。
【００４２】
図５から明らかなように、挿入部分１１４は、本質的に矩形形状を有する。図５に、挿入部分１１４の高さ表面１４８の高さ方向に延びる第１の軸１４４を示し、第１の軸は、高さ方向に延びる前記挿入部分１１４の２つの対向する側壁間の中間に位置する。さらに、図５は、第２の軸１４６を示し、第２の軸１４６は、幅方向に延び、挿入部分１１４の上下の長さ表面１５０の中間に配置される。２つの軸１４４、１４６間の交点が、中心点１５２を画定する。明らかなように、接触部分１０８はそれぞれ、第２の軸１４６に対して軸対称に配置され、中心点１５２に対して点対称に配置される。２つの軸１４４、１４６によって分割された左上部分および右下部分では、金属シートが隅部で曲げられ、傾斜隅部１５４、１５６を画定する。
これらの傾斜隅部は同一であり、中心点１５２に対して点対称に設けられる。傾斜隅部１５４、１５６は、軸１４４、１４６のそれぞれに対して４５°の角度で延びる。傾斜隅部１５４、１５６はそれぞれ、金属プラグハウジング１０２の円筒形挿入部分１１４の外周に雄型形状嵌合部分を画定する。前記挿入部分１１４の円筒形の形状は、固定突起１５８によって突出させられる。固定突起１５８は、プラグハウジング１０２を形成する金属シートを切断して曲げることによって作られる。固定突起１５８は、プラグ１００の遠位端の方へ突出するように傾いている。
【００４３】
図６は、ジャック２００の主要部分を示す。ジャック２００は、曲げられた金属シートから形成されたジャックハウジング２０２を有する。ジャックハウジング２０２は、遠位端から矩形のジャックハウジング２０２内へ挿入される単体の隔離ジャックインサート２０４を受容するように適合される。ジャックハウジング２０２内への隔離ジャックインサート２０４の適切な位置合わせは、隔離ジャックインサート２０４の長手方向リブ２０６と、ジャックハウジング２０２の遠位端に開いている長手方向スロット２０８とによって得られる。隔離ジャックインサート２０４の反対側の長手方向凹部内に、８つの対向コンタクト要素２１０が受け取られる。前記対向コンタクト要素２１０の凸状接触部分２１２が、隔離ジャックインサート２０４の雄型隔離部分２１４の近位端に対して位置決めされ、雄型隔離部分２１４は、プラグ１００の受容凹部１１０内に受け取られるように適合される。対向コンタクト要素２１０は、自由はんだ端部２１６を有し、自由はんだ端部２１６は、曲げによってずれており、図６に矢印Ｉで特定された挿入方向に対応する長手方向に対して平行に延びる。
【００４４】
図１０、図１１、および図１２から明らかなように、対向コンタクト要素２１０のそれらの自由はんだ端部２１６は、当接面２１８とほぼ同じ高さであり、当接面２１８は、隔離ジャックインサート２０４の底面２２０によって部分的に形成され、金属ジャックハウジング２０２の一部分によって部分的に形成される。それらの部分は、はんだパッド２２４の第２の脚部２２２によって特に画定され、はんだパッド２２４は、矢印Ｆで特定する締結方向にジャックハウジング２０２の本体から突出する第１の脚部２２６を画定するようにＬ字状である。
【００４５】
当接面２１８は、隔離ジャックインサート２０４によって形成される締結突出部２２８によって突出させられる。さらに、当接面２１８は、ジャックハウジング２０２を画定するシート材料を切断して曲げることによって形成されたペグ２３０によって突出させられる。ペグ２３０のいくつかは、はんだパッド２２４から切断され、第２の脚部２２２を締結方向Ｆに突出させる。締結突出部２２８およびペグ２３０は、ジャック２００をプリント回路基板（ＰＣＢ）に安定して締結するために、ＰＣＢの凹部内に受け取られるように適合される。第２の脚部２２２は、前記ＰＣＢの上面に接触して、金属ジャックハウジング２０２をＰＣＢの導電経路に電気的に接触させる。はんだパッド２２４はそれぞれ、ジャック２００をＰＣＢに安定して接続するために、はんだ突出部を画定する。
【００４６】
ジャックハウジング２０２は、対向する高さ表面２３４と、高さ表面２３４に対して垂直に延び、高さ表面２３４より長い延長を有する長さ表面とによって、プラグ１００の挿入部分１１４を受容するように適合された矩形開口２３２を画定する。矩形開口２３２の方へわずかに内向きに突出するばねシャックル２３８が設けられる。ばねシャックル２３８は、ジャックハウジング２０２を形成する金属シートから切断され、プラグ１００の挿入部分１１４の外周面との電気接触を行うように適合される。
【００４７】
矩形開口２３２は、金属シートの端部２４０によって突出させられ、端部２４０は、矩形開口２３２につながる漏斗状の構成を提供するように外向きに曲げられる。前記矩形開口２３２の後ろには、受容部分２４２が設けられ、受容部分２４２は、プラグ１００の挿入部分１１４を受容する。受容部分２４２は、厳密な矩形の形を有する。しかし、矩形開口２３２は、厳密な矩形の形を有していない。図５のそれらの軸１４４、１４６に応じて図１３に挿入した第１の軸２４４および第２の軸２４６から明らかなように、２つの傾斜隅部２４８、２５０が設けられ、傾斜隅部２４８、２５０は、厳密な矩形の受容部分２４２を部分的に覆い、それによってプラグ１００の傾斜隅部１５４、１５６と協働して符号化を画定するように適合された形状嵌合部分を画定し、それによりプラグ１００は、ジャック２００内へ所定の様式のみで挿入することができる。
【００４８】
長さ表面２３６の上部は、爪２５２を備える。爪２５２は、ジャックハウジング２０２を形成するシート材料を開口２３２の方へ切断して矩形開口２３２の方へ曲げることによって形成される。爪２５２の自由前端２５４は、端部２４０として外向きに曲げられる。
【００４９】
これを考えると、矩形開口２３２は、横方向の表面２３４、２３６によって区切られる。横方向の表面２３４、２３６はそれぞれ、漏斗状の構成を画定するために、外向きに曲げられた自由前端２５４に加えて、端部２４０を備えることが明らかである。しかし、厳密な矩形の形は、傾斜隅部２４８、２５０によって部分的に阻止される。
【００５０】
プラグ１００をジャック２００内へ挿入するとき、挿入部分１１４は、矩形開口２３２を通って挿入される。プラグ１００をジャック２００内へ前進させると、固定突起１５８は最終的に、傾斜状の自由前端２５４に接触し、それによって爪２５０を持ち上げる。対向コンタクト要素２１０の凸状接触部分２１２は、コンタクト要素１０６の割り当てられた接触部分１０８に接触する。さらに、特定の要求により、ばねシャックル２３８は、挿入部分１１４の外周面に当接し、それによってコンタクト要素１０６および対向コンタクト要素２１０の外側遮蔽を完成させる。
【００５１】
図１４および図１５は、符号化を示し、前述の実施形態（図５および図１３参照）とは異なる符号化を提供する。プラグ３００の傾斜隅部３５４、３５６は、第１の軸３４４および第２の軸３４６によって分割された右上象限および左下象限に位置決めされる。したがって、隔離プラグインサート３０４は、金属プラグハウジング３０２のこの幾何形状とうまく合うそれぞれの横断面構成を有する。それは別として、図１４に示すプラグ３００のすべての部分は、図１〜５に示すプラグ１００のそれらの部分と同一である。
【００５２】
図１５に示すジャックは、反対側の象限（左上、右下）内に傾斜隅部４４８、４５０を画定するジャックハウジング４０２を備え、図６〜１３に示す実施形態は、右上象限および左下象限にそれらの傾斜隅部を有する。それは別として、両ジャック２００、４００の他のすべての形状は同一である。したがって、ジャック４００は、矩形開口２３２、４３２の端部で部分２４８、２５０、４４８、４５０を単に切断して曲げることを個別化して、異なる符号化を実現するため、非常に経済的に製造することができる。
【００５３】
プラグ３００をジャック４００内へ挿入することができるが、ジャック２００内へは挿入することができないことが、すぐに明らかになる。各ジャック２００、４００および各プラグ１００、３００の傾斜隅部が同一であるため、プラグを１８０°逆にしても、それでもなおそのようなプラグ１００を割り当てられたジャック２００内へ挿入することが可能であるという少なくとも理論的な可能性はある。しかし、そのように位置決めしても、固定突起１５８を爪２５２の固定開口２５３内へ挿入することはできないはずである。逆に、固定突起１５８は、受容部分２４２の底部で長さ表面２３６と衝突し、ジャックおよびプラグがコンタクト要素１０６と対向コンタクト要素２１０との間の電気接触を行うことを防止するはずである。
【００５４】
プラグ１００およびジャック２００を解放するには、使用者は、解放要素１２６をプラグ１００の方へ前進させ、それによって解放面１２８を爪２５２の自由前端２５３に押し当て、それによって爪２５２を持ち上げ、それによりプラグ１００をジャック２００から引き抜くことができる。
【００５５】
参照番号の一覧
１００  プラグ
１０２  プラグハウジング
１０４  隔離インサート
１０６  コンタクト要素
１０８  接触部分
１１０  受容凹部
１１２  ハウジング開口
１１４  挿入部分
１１６  スリーブ部
１１８  接続部
１２０  接続端部
１２２  カバー要素
１２４  カバー要素
１２６  解放要素
１２８  解放面
１３０  傾斜部分
１３２  前方ステップ
１３４  後方ステップ
１３６  導体要素
１３８  シェル要素
１４０  シェル要素
１４２  解放要素受容開口
１４４  第１の軸
１４６  第２の軸
１４８  高さ表面
１５０  長さ表面
１５２  中心点
１５４  傾斜隅部
１５６  傾斜隅部
１５８  固定突起
２００  ジャック
２０２  ジャックハウジング
２０４  隔離ジャックインサート
２０６  長手方向リブ
２０８  長手方向スロット
２１０  対向コンタクト要素
２１２  凸状接触部分
２１４  雄型隔離部分
２１６  自由はんだ端部
２１８  当接面
２２０  底面
２２２  第２の脚部
２２４  はんだパッド
２２６  第１の脚部
２２８  締結突出部
２３０  ペグ
２３２  矩形開口
２３４  高さ表面
２３６  長さ表面
２３８  ばねシャックル
２４０  端部
２４２  受容部分
２４４  第１の軸
２４６  第２の軸
２４８  傾斜隅部
２５０  傾斜隅部
２５２  爪
２５３  固定開口
２５４  自由前端
３００  プラグ
３０２  プラグハウジング
３０４  隔離プラグインサート
３０６  コンタクト要素
３４４  第１の軸
３４６  第２の軸
３５４  傾斜隅部
３５６  傾斜隅部
４００  ジャック
４０２  ジャックハウジング
４１０  対向コンタクト要素
４３２  矩形開口
４４０  端部
４４８  傾斜隅部
４５０  傾斜隅部
Ｆ  締結方向
Ｉ  挿入方向
【図１】
0006549700.tif 000002
【図２】
0006549700.tif 000003
【図３】
0006549700.tif 000004
【図４】
0006549700.tif 000005
【図５】
0006549700.tif 000006
【図６】
0006549700.tif 000007
【図７】
0006549700.tif 000008
【図８】
0006549700.tif 000009
【図９】
0006549700.tif 000010
【図１０】
0006549700.tif 000011
【図１１】
0006549700.tif 000012
【図１２】
0006549700.tif 000013
【図１３】
0006549700.tif 000014
【図１４】
0006549700.tif 000015
【図１５】
0006549700.tif 000016